(57)【要約】【課題】表示機能を新たに追加することなく、遮断弁ユニットの交換を促す。【解決手段】遮断弁ユニット２０と、通知手段１７を備えた操作装置１０と、を有する遮断システム１において、操作装置１０が、遮断弁ユニット２０の製造情報を取得する製造情報取得手段１１ａ１と、前記取得した製造情報を記憶する製造情報記憶手段１２と、遮断弁ユニット２０に電力を供給する電力供給手段１９と、遮断弁ユニット２０の使用を開始してから、電力供給手段１９が遮断弁ユニット２０に供給した電力の通算時間を検出する通算時間検出手段１１ａ２と、通算時間検出手段１１ａ２が検出した通算時間と前記製造情報との比較結果に基づいて、遮断弁ユニット２０が使用期限であるか否か判定する使用期限判定手段１１ａ３と、前記使用期限であると判定したことを前記通知手段１７に通知させる通知制御手段１１ａ４と、を有する。【選択図】図１
2010048265.tif 000002
【特許請求の範囲】
【請求項１】
遮断弁ユニットと、前記遮断弁ユニットとの間で通信線を介した双方向通信が可能に接続され且つ通知手段を備えた操作装置と、を有する遮断システムにおいて、
前記操作装置が、
前記遮断弁ユニットの製造情報を取得する製造情報取得手段と、
前記製造情報取得手段が取得した製造情報を記憶する製造情報記憶手段と、
前記遮断弁ユニットに電力を供給する電力供給手段と、
前記遮断弁ユニットの使用を開始してから、前記電力供給手段が前記遮断弁ユニットに供給した電力の通算時間を検出する通算時間検出手段と、
前記通算時間検出手段が検出した通算時間と前記製造情報記憶手段が記憶している製造情報との比較結果に基づいて、前記遮断弁ユニットが使用期限であるか否か判定する使用期限判定手段と、
前記使用期限判定手段が使用期限であると判定したことを前記通知手段に通知させる通知制御手段と、
を有することを特徴とする遮断システム。
【請求項２】
前記遮断弁ユニットが、流路を遮断する遮断弁と、前記遮断弁に対して着脱自在に設けられて前記遮断弁の駆動を制御する駆動制御装置と、を有し、
前記製造情報取得手段が、前記遮断弁と前記駆動制御装置との少なくとも一方の製造データを有する製造情報を取得する手段であり、
前記使用期限判定手段が、前記製造情報の製造データに基づいて、前記遮断弁と前記駆動制御装置との少なくとも一方の使用期限を判定する手段であることを特徴とする請求項１に記載の遮断システム。
【発明の詳細な説明】
【技術分野】
【０００１】
本発明は、遮断弁ユニットと、前記遮断弁ユニットとの間で通信線を介した双方向通信が可能に接続された操作装置と、を有する遮断システムに関するものである。
【背景技術】
【０００２】
ガス遮断弁は、ガス配管の途中にフランジを介して挿入接続されるハウジングと、そのハウジングに着脱可能に設けられる弁本体及び弁駆動機構を有して構成している。例えば、特許文献１に記載されているガス遮断弁は、ガス配管に接続される一対のフランジを有するハウジング内部を、一方のフランジ側配管に連通する流路空間と他方のフランジ側配管に連通する流路空間を仕切って隔壁を設け、その隔壁に形成された貫通穴にリング状のノズルを気密に装着し、そのノズルに対して平板状の弁体を接続可能に設け、遮断指令に基づいて弁体をノズルに押し付けて弁ハウジングのガスの入口側流路と出口側流路を遮断するように構成されている。
【０００３】
また、ガス遮断弁は、その機能を保持するために、一定期間（例えば、１０年等）ごとに交換或いは保守点検することが必要となる。そのため、特許文献２に示すガス遮断弁は、ガス配管に接続されたハウジングを交換する必要性がほとんどないことに鑑み、ガス遮断弁の交換等が必要な部品を含む主要部をユニット化して、そのユニットの部分のみを交換可能な構成とすることで、ガス遮断弁の交換等の作業時には、ガス配管に接続されたハウジングを取り外さずに、遮断弁ユニットの基部をハウジングの取り付け座から取り外し、交換する新たな遮断弁ユニットをハウジングに装着することにより、ガス遮断弁の交換作業を終了できるようにしている。
【特許文献１】特開平７−２４８０７０号公報
【特許文献２】特開２００７−２７０９５７号公報
【発明の開示】
【発明が解決しようとする課題】
【０００４】
また、一定期間ごとに交換或いは保守点検が必要となる駆動制御装置は、製造番号を刻印あるいは捺印したラベルを貼付している。また、駆動制御装置は、施工時に取り付け年月あるいは交換期限を記入したラベルを貼付することもある。そして、作業員等はそのラベルを目視確認して、決められた年月が経過したとき（例えば１０年等）、駆動制御装置を交換することになる。しかしながら、そのラベルが汚れたり、駆動制御装置が高いところや視認しづらいところに設置されていると、ラベルの内容を目視確認することが困難であり、それが一因となって速やかな機器の交換が行えないという問題が生じていた。また、ガス遮断弁は表示装置を有していないため、表示により交換を通知するには表示装置を新たに設ける必要があり、コストアップしてしまうという問題があった。
【０００５】
よって本発明は、上述した問題点に鑑み、表示機能を新たに追加することなく、遮断弁ユニットの交換を促すことができる遮断システムを提供することを課題としている。
【課題を解決するための手段】
【０００６】
上記課題を解決するため本発明によりなされた請求項１記載の遮断システムは、図１の基本構成図に示すように、遮断弁ユニット２０と、前記遮断弁ユニット２０との間で通信線３を介した双方向通信が可能に接続され且つ通知手段１７を備えた操作装置１０と、を有する遮断システム１において、前記操作装置１０が、前記遮断弁ユニット２０の製造情報を取得する製造情報取得手段１１ａ１と、前記製造情報取得手段１１ａ１が取得した製造情報を記憶する製造情報記憶手段１２と、前記遮断弁ユニット２０に電力を供給する電力供給手段１９と、前記遮断弁ユニット２０の使用を開始してから、前記電力供給手段１９が前記遮断弁ユニット２０に供給した電力の通算時間を検出する通算時間検出手段１１ａ２と、前記通算時間検出手段１１ａ２が検出した通算時間と前記製造情報記憶手段１２が記憶している製造情報との比較結果に基づいて、前記遮断弁ユニット２０が使用期限であるか否か判定する使用期限判定手段１１ａ３と、前記使用期限判定手段１１ａ３が使用期限であると判定したことを前記通知手段１７に通知させる通知制御手段１１ａ４と、を有することを特徴とする。
【０００７】
上記請求項１に記載した本発明の遮断システムによれば、操作装置１０は製造情報記憶手段１２によって遮断弁ユニットの製造年月等を示す製造情報を取得すると、その識別情報を製造情報記憶手段１２に記憶する。操作装置１０は電力供給手段１９によって遮断弁ユニット２０に電力を供給すると、通算時間検出手段１１ａ２によってその通電時間を検出する。操作装置１０は使用期限判定手段１１ａ３によってその通電時間と製造情報との比較から使用期限であると判定すると、通知手段１１ａ４によって通知手段１７にそれを通知させる。
【０００８】
請求項２記載の発明は、図１の基本構成図に示すように、請求項１に記載の遮断システムにおいて、前記遮断弁ユニット２０が、流路を遮断する遮断弁２０Ａと、前記遮断弁に対して着脱自在に設けられて前記遮断弁の駆動を制御する駆動制御装置２０Ｂと、を有し、前記製造情報取得手段１１ａ１が、前記遮断弁２０Ａと前記駆動制御装置２０Ｂとの少なくとも一方の製造データを有する製造情報を取得する手段であり、前記使用期限判定手段１１ａ３が、前記製造情報の製造データに基づいて、前記遮断弁２０Ａと前記駆動制御装置２０Ｂとの少なくとも一方の使用期限を判定する手段であることを特徴とする。
【０００９】
上記請求項２に記載した本発明の遮断システムによれば、操作装置１０は製造情報取得手段１１ａ１によって遮断弁２０Ａと駆動制御装置２０Ｂとの少なくとも一方の製造データを有する製造情報を取得すると、その識別情報を製造情報記憶手段１２に記憶する。操作装置１０は使用期限判定手段１１ａ３によって遮断弁２０Ａと駆動制御装置２０Ｂとの少なくとも一方の使用期限を製造情報の製造データに基づいて判定する。
【発明の効果】
【００１０】
以上説明したように請求項１に記載した本発明によれば、操作装置が遮断弁ユニットに供給した電力の通電時間を検出し、この通電時間と取得した製造情報とを比較して使用期限を判定して通知するようにしたことから、遮断弁ユニットの交換時期を的確に予め備えた通知手段によって通知することができる。また、通電時間を検出しているので、遮断弁ユニットを実際に使用した時間に基づいて交換時期を判定することができるため、その使用状況に応じた交換時期を通知することもできる。従って、表示機能を新たに追加することなく、遮断弁ユニットの交換を促すことができる遮断システムを提供することができる。
【００１１】
請求項２に記載した本発明によれば、操作装置が遮断弁ユニットの遮断弁と駆動制御装置との少なくとも一方の使用期限を判定するようにしたことから、遮断弁と駆動制御装置の個別に交換を促すことができるため、遮断弁ユニットの構成機器を有効利用でき且つメンテナンス性を向上させることができる。
【発明を実施するための最良の形態】
【００１２】
以下、本発明に係る遮断システムの一実施形態を、図１〜図７の図面を参照して以下に説明する。
【００１３】
図２〜３において、遮断システム１は、宅内等に設けられる操作装置１０と、ガス供給路の配管５に組み込まれ且つ操作装置１０の制御等によって配管５を遮断する遮断弁ユニット２０と、を有して構成している。そして、操作装置１０と遮断弁ユニット２０は、通信線３を介して、双方向のシリアル通信可能に接続されている。また、操作装置１０は、遮断弁ユニット２０と電気的に接続されており、外部電源等から供給される電力によって動作すると共に、その電力を遮断弁ユニット２０に供給している。
【００１４】
操作装置１０は、図３に示すように、予め定められたプログラムに従って動作するマイクロプロセッサ（ＭＰＵ）１１を有している。ＭＰＵ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００１５】
ＲＯＭ１１ｂは、上述した図１に示す請求項中の製造情報取得手段１１ａ１、通算時間検出手段１１ａ２、使用期限判定手段１１ａ３、通知制御手段１１ａ４、等の各種手段として、ＣＰＵ１１ａを機能させるための各種プログラム等を記憶している。
【００１６】
操作装置１０はさらに、メモリ部１２と、通信部１３と、設定部１６と、表示部１７と、操作部１８と、電力供給部１９と、を有しており、各々はＭＰＵ１１と電気的に接続されている。
【００１７】
メモリ部１２は、電力供給が断たれた場合でも、格納された各種データの保持が可能であり、ＣＰＵ１１ａの処理作業に必要な各種格納エリアを有する電気的消去／書き換え可能なメモリ（ＥＥＰＲＯＭ）等が用いられる。このメモリ部１２は、図４に示すように、操作装置製造年月１２１、操作装置使用時間１２２、遮断弁ユニット製造年月１２３、遮断弁使用時間１２４、駆動制御装置使用時間１２５、遮断弁の口径１２６、等の各種データを記憶している。
【００１８】
操作装置製造年月１２１は、操作装置１０が製造された製造年月（例えば、年のみでも可）データが設定される。例えば「１００９」の場合、２０１０年９月を示している。操作装置使用時間１２２は、設置されてからの使用時間データが定期的に書き込まれる。遮断弁ユニット製造年月１２３は、遮断弁ユニット１０から取得した製造年月データ等が設定される。遮断弁使用時間１２４は、後述する遮断弁２０Ａの使用時間データが定期的に書き込まれる。駆動制御装置使用時間１２５は、後述する駆動制御装置２０ｂの使用時間データが定期的に書き込まれる。
【００１９】
遮断弁２０Ａの口径１２６は、遮断弁ユニット２０から取得した口径データが設定される。口径データの一例としては、口径２０〜２５が「１」、口径３２〜４０が「２」、口径５０が「３」、口径８０が「４」となっている。
【００２０】
本実施形態では、上述したメモリ部１２が、請求項中の製造情報として遮断弁ユニット製造年月１２３を記憶する場合について説明するが、本発明はこれに限定するものではなく、例えば遮断弁ユニット製造年月１２３に対応した判定閾値を製造情報として記憶するなど種々異なる実施形態とすることができる。従って、メモリ部１２が製造情報を記憶していることから、本実施形態ではメモリ部１２が請求項中の製造情報記憶手段として機能している。
【００２１】
通信部１３は、通信線３と電気的に接続されると共に、ＭＰＵ１１と電気的に接続されている。通信部１３は、通信線３を介してＭＰＵ１１から入力される各種電文を示す信号を遮断弁ユニット２０に送信すると共に、通信線３を介して遮断弁ユニット２０から受信した信号が示す電文をＭＰＵ１１に出力する。
【００２２】
設定部１６は、遮断弁ユニット２０の遮断弁２６を通信異常発生時に遮断するか否かがＯＮ／ＯＦＦを選択するためのディップスイッチを有している。設定部１６は、操作装置１０のケース本体で隠され且つシステム管理者等によってのみ操作が可能な構成となっている。設定部１６は、前記ディップスイッチが操作装置１０の設置時、ガス需要者からの設定変更が要求されたとき等にシステム管理者等によって設定され、ＭＰＵ１１によってディップスイッチの設定状態が検出される。
【００２３】
表示部１７は、図１に示す請求項中の通知手段に相当し、ＭＰＵ１１と電気的に接続されている。表示部１７は、図２に示すように、点検、交換時等に点灯させる操作器表示部１７ａ、遮断弁表示部１７ｂ等の各種表示部を有し、ＭＰＵ１１からの要求に応じて各種表示が可能な構成となっている。また、表示部１７は、図示しないが、警報器故障、停電検知、故障検知、検査中等の各々に対応したＬＥＤの点灯によって表示状態となり、ＬＥＤの消灯によって非表示状態となる。
【００２４】
操作部１８は、ＭＰＵ１１と電気的に接続されており、利用者、作業者等に各種データの入力、選択を行わせる、ための複数の操作スイッチと、弁開スイッチと、弁閉スイッチと、を有している。操作部１８は、それらの操作スイッチに対する操作に応じた操作信号をＭＰＵ１１に出力する。そして、操作部１８の弁開スイッチ又は弁閉スイッチが操作されると、ＭＰＵ１１は通信線３を介して遮断（弁閉）要求信号又は開放（弁開）要求信号を遮断弁ユニット２０に送信する。
【００２５】
このように構成した操作装置１０のＣＰＵ１１ａは、外部電源等からの電力供給によって起動されると、所定のプログラムを実行することで、電力供給部１９を制御してその電力の一部を遮断弁ユニット２０に供給する。即ち、電力供給部１９は、遮断弁ユニット２０に所定の電力を供給するための回路等によって構成している。このような電力の供給により、遮断弁ユニット２０は起動されて動作可能状態となる。
【００２６】
次に、上述した操作装置１０から供給される電力によって動作する遮断弁ユニット２０の概略構成の一例を、図２〜３，図５の図面を参照して以下に説明する。
【００２７】
遮断弁ユニット２０は、図２及び図３に示すように、配管５の一部として組み込まれ、その配管５を遮断する遮断機構を有する遮断弁２０Ａと、口径が異なる複数種類の遮断弁２０Ａの駆動を制御する駆動制御装置２０Ｂとを有している。遮断弁２０Ａと駆動制御装置２０Ｂは、手動操作部２０Ｃを操作することで、各々を分離できる構造となっている。即ち、遮断弁２０Ａと駆動制御装置２０Ｂを個別に交換可能な構成とすることで、駆動制御装置２０Ｂが故障したときに、駆動制御装置２０Ｂのみの交換が可能となっている。
【００２８】
なお、遮断弁２０Ａは、上述した背景技術のハウジングに相当し、後述する駆動部２７を介してＭＰＵ２１に電気的に接続されており、モータ駆動方式遮断弁、ソレノイド方式遮断弁等が任意に用いられる。本実施形態では、遮断弁２０Ａとしてモータ駆動方式遮断弁を用いる場合について説明する。そして、遮断弁２０Ａは、ＭＰＵ２１によって弁閉されると、配管５におけるガスの供給を遮断し、また、弁開されると、配管５におけるガスの供給を可能とする。
【００２９】
駆動制御装置２０Ｂは、上述した操作装置１０から供給された電力によって駆動され、図３に示すように、予め定められたプログラムに従って動作するマイクロプロセッサ（ＭＰＵ）２１と、メモリ部２２と、通信部２３と、遮断弁２６を駆動する駆動部２７と、圧力センサ２８と、を有して構成しており、それらは電気的に接続されている。
【００３０】
ＭＰＵ２１は、上述したように、ＣＰＵ２１ａとＲＯＭ２１ｂとＲＡＭ２１ｃとを有している。ＲＯＭ２１ｂは、ＣＰＵ２１ａを各種手段として機能させるための各種プログラムを記憶している。
【００３１】
メモリ部２２は、数種類の遮断弁２０Ａの各々に対応した複数種類の固有情報を記憶している。固有情報の各々は、予め定められた所定処理に相当する復帰漏洩確認処理、気密漏洩検査処理、等に用いる口径に対応して定められた複数のパラメータの各設定値データを有している。例えば、気密漏洩検査処理に対応した固有情報は、口径と配管容積（例えば標準、最大）とに対応した時間データ等を有している。
【００３２】
メモリ部２２は、図５に示すように、遮断弁ユニット製造年月２２１、遮断弁使用時間２２２、駆動制御装置使用時間２２３、遮断弁の口径２２４、等の各種データを記憶する記憶領域を有している。
【００３３】
遮断弁ユニット製造年月２２１は、遮断弁２０Ａ及び駆動制御装置２０Ｂの少なくとも一方の製造年月を示す製造年月データが、製品出荷時等に設定される。なお、本実施形態では、遮断弁ユニット製造年月２２１が遮断弁２０Ａの製造年月データと駆動制御装置２０Ｂの製造年月データの双方を有する構成としたことで、遮断弁２０Ａ及び駆動制御装置２０Ｂの何れかのみを交換した場合に、該当する製造年月データのみを書き換えることを可能としている。
【００３４】
遮断弁使用時間２２２は、操作装置１０から供給された電力を遮断弁２０Ａに通電した時間を示す通算時間データが書き込まれる。駆動制御装置使用時間２２３は、操作装置１０から供給された電力を駆動制御装置２０Ｂに通電した時間を示す通算時間データが書き込まれる。
【００３５】
遮断弁の口径２２４は、駆動制御装置２０Ｂが制御対象としている遮断弁２０Ａの口径を示す口径データが設定される。なお、共通化された駆動制御装置２０Ｂは、どのような口径の遮断弁２０Ａに装着されるか分からないため、遮断弁２０Ａ及び駆動制御装置２０Ｂが一体に製造された遮断弁ユニット２０にのみ、口径データが設定されている。このとき、遮断弁の口径２２４が請求項中の登録口径情報に相当している。また、遮断弁２０Ａの口径２２４は、共通化された駆動制御装置２０Ｂの場合には口径データが設定されていないため、本発明では、操作装置１０に記憶している遮断弁の口径１２６を受信して記憶することになる。
【００３６】
通信部２３は、上述した通信線３と電気的に接続されると共に、ＭＰＵ２１と電気的に接続されている。通信部２３は、前記通信線３を介してＭＰＵ２１から入力される各種電文を示す信号を操作装置１０に送信すると共に、前記通信線３を介して操作装置１０から受信した信号が示す電文をＭＰＵ２１に出力する。
【００３７】
また、遮断弁ユニット２０のＣＰＵ２１ａは、通信部２３を介して操作装置１０から遮断要求信号を受信すると、上述したように駆動部２７を制御して遮断弁２６を弁閉し、また、開放要求信号を受信すると、駆動部２７を制御して遮断弁２６を弁開する。
【００３８】
圧力センサ２８は、ＭＰＵ２１に電気的に接続されており、配管５内の気体の空気圧の変化を感圧素子にて圧力信号に変換する機械式又は電子式のものが任意に用いられる。圧力センサ２８は、遮断弁２６の下流側（ガス供給側）における配管５内の圧力を感知して圧力信号をＭＰＵ２１に出力する。
【００３９】
次に、上述した構成の駆動制御装置２０ＢのＣＰＵ２１ａによる各種プログラムの実行によってＣＰＵ２１ａが本発明に係る各種手段の一例を説明する。
【００４０】
ＣＰＵ２１ａの使用時間計測手段は、操作装置１０からの電力の供給により動作時間を計測し、その計測時間を使用時間としてメモリ部２２の遮断弁使用時間２２２、駆動制御装置使用時間２２３に記憶する。
【００４１】
ＣＰＵ２１ａの使用時間送信手段は、所定のタイミング（例えば２４時間ごと等）で前記使用時間計測手段が計測した使用時間を示す使用時間情報を作成し、通信部２３を介して操作装置１０に送信する。
【００４２】
ＣＰＵ２１ａの製造情報送信手段は、使用開始時等にメモリ部２２に記憶している遮断弁ユニット製造年月を示す製造情報を作成し、通信部２３を介して操作装置１０に送信する。
【００４３】
次に、上述した操作装置１０のＣＰＵ１１ａの通算使用時間管理処理プログラムの実行による通算使用時間管理処理の一例を、図６に示すフローチャートを参照して以下に説明する。なお、この通算使用時間管理処理は、操作装置１０の電源断、上位処理からの強制終了等に応じて処理を終了することを前提としている。
【００４４】
ＣＰＵ１１ａによって通算使用時間管理処理プログラムが実行されると、ステップＳ１１において、通信部１３を介して駆動制御装置２０Ｂから使用時間情報を受信したか否かが判定される。使用時間情報を受信したと判定された場合（Ｓ１１でＹ）、ステップＳ１２（通算時間検出手段）において、使用時間情報から遮断弁２０Ａ及び駆動制御装置２０Ｂの通算時間（使用時間）が検出され、それらの通算時間がメモリ部１２の遮断弁使用時間１２４及び駆動制御装置使用時間１２５に記憶され、その後ステップＳ１３に進む。
【００４５】
ステップＳ１３（使用期限判定手段）において、受信した通算時間と前記遮断弁ユニット製造年月１２３に対応した判定閾値（例えば、１０年等）とが比較され、該判定結果に基づいて使用期限であるか否かが判定される。使用期限ではないと判定された場合（Ｓ１３でＮ）、ステップＳ１１に戻り、一連の処理が繰り返される。一方、使用期限であると判定された場合（Ｓ１３でＹ）、ステップＳ１４（通知制御手段）において、使用期限であると判定したことの通知を要求する通知要求が作成され、該通知要求が表示部１７に出力されることで、表示部１７は遮断弁表示部１７ｂを点灯させ、その後ステップＳ１１に戻り、一連の処理が繰り返される。
【００４６】
また、ステップＳ１１で使用時間情報を受信していないと判定された場合（Ｓ１１でＮ）、ステップＳ１５において、通信部１３を介して駆動制御装置２０Ｂから製造情報を受信したか否かが判定される。製造情報を受信したと判定された場合（Ｓ１５でＹ）、ステップＳ１６（製造情報取得手段）において、受信した製造情報がメモリ部１２の遮断弁ユニット製造年月１２３に記憶され、その後ステップＳ１１に戻り、一連の処理が繰り返される。なお、本実施形態では、製造情報を駆動制御装置２０Ｂから取得する場合について説明するが、本発明はこれに限定するものではなく、設定部１６、操作部１８等からの入力されたデータを製造情報として取得するなど種々異なる実施形態とすることができる。
【００４７】
ステップＳ１５で製造情報を受信していないと判定された場合（Ｓ１５でＮ）、ステップＳ１７において、設定部１６、操作部１８等における予め定められた所定操作の有無に基づいて、利用者、作業者等から表示要求を受けたか否かが判定される。表示要求を受けていないと判定された場合（Ｓ１７でＮ）、ステップＳ１１に戻り、一連の処理が繰り返される。一方、表示要求を受けたと判定された場合（Ｓ１７でＹ）、ステップＳ１８に進む。
【００４８】
ステップＳ１８において、例えば、メモリ部１２の操作装置製造年月１２１、操作装置使用時間１２２、遮断弁ユニット製造年月１２３、遮断弁使用時間１２４、駆動制御装置使用時間１２５等を表示部１７に表示するための表示情報が作成され、該表示情報の表示が表示部１７に要求されることで、表示部１７に表示情報が表示され、その後ステップＳ１１に戻り、一連の処理が繰り返される。
【００４９】
以上説明した図６に示す通算使用時間管理処理ＣＰＵ１１ａが実行することで、上述した図１に示す請求項中の製造情報取得手段１１ａ１、通算時間検出手段１１ａ２、使用期限判定手段１１ａ３、通知制御手段１１ａ４、等としてＣＰＵ１１ａが機能することになる。そして、図６に示すフローチャート中のステップＳ１２が通算時間検出手段１１ａ２、ステップＳ１３が使用期限判定手段１１ａ３、ステップＳ１４が通知制御手段１１ａ４、ステップＳ１６が製造情報取得手段１１ａ１にそれぞれ相当している。
【００５０】
次に、上述した遮断システム１の操作装置１０と遮断弁ユニット２０の駆動制御装置２０Ｂの本発明に係る動作（作用）の一例を、図７の図面を参照して以下に説明する。
【００５１】
製品出荷時の状態ＳＴ１において、駆動制御装置２０Ｂのメモリ部２２には、遮断弁ユニット製造年月２２１に「１００９（上位）／１００９（下位）」、遮断弁使用時間２２２に「０」、駆動制御装置使用時間２２３に「０」、口径２２４に「２」がそれぞれ設定されている。また、操作装置１０のメモリ部１２には、操作装置製造年月１２１に「１００８」、操作装置使用時間１２２に「０」、遮断弁ユニット製造年月１２３に「００００（上位）／００００（下位）」、遮断弁使用時間１２４に「０」、駆動制御装置使用時間１２５に「０」、口径１２６に「０」がそれぞれ設定されている。なお、遮断弁ユニット製造年月１２３及び遮断弁ユニット製造年月２２１は、その上位が遮断弁２０Ａ、下位が駆動制御装置２０Ｂに対応した内容になっている。
【００５２】
設置、使用開始の状態ＳＴ２において、操作装置１０と駆動制御装置２０Ｂが結線されて、操作装置１０から駆動制御装置２０Ｂへの電力供給が開始されると、駆動制御装置２０Ｂは操作装置１０に遮断弁ユニット製造年月２２１を識別情報、遮断弁使用時間２２２及び駆動制御装置使用時間２２３を使用時間情報、口径２２４を口径情報（登録口径情報に相当）としてそれぞれ送信する。
【００５３】
その結果、操作装置１０のメモリ部１２には、操作装置製造年月１２１及び操作装置使用時間１２２は更新されずに、遮断弁ユニット製造年月１２３に「１００９／１００９」、遮断弁使用時間１２４に「０」、駆動制御装置使用時間１２５に「０」、口径１２６に「２」がそれぞれ設定されて更新される。
【００５４】
例えば１年使用した使用中の状態ＳＴ３において、操作装置１０は駆動制御装置２０Ｂへの通電中、例えば２４時間毎に駆動制御装置２０Ｂから前記使用時間情報を取得して、メモリ部１２の遮断弁使用時間２２２及び駆動制御装置使用時間２２３の設定値を更新する。
【００５５】
その結果、駆動制御装置２０のメモリ部２２の遮断弁使用時間２２２及び駆動制御装置使用時間２２３に設定されている「８７６０」が、操作装置１０のメモリ部１２の遮断弁使用時間１２４及び駆動制御装置使用時間１２５に設定されることで、操作装置１０のメモリ部１２が更新される。
【００５６】
例えば２年使用された操作装置１０の表示操作時の状態ＳＴ４において、操作装置１０は駆動制御装置２０Ｂから前記使用時間情報を取得して、メモリ部１２の遮断弁使用時間２２２及び駆動制御装置使用時間２２３の設定値を更新し、その内容を示す表示情報を作成して表示部１７に表示する。
【００５７】
その結果、駆動制御装置２０のメモリ部２２の遮断弁使用時間２２２及び駆動制御装置使用時間２２３に設定されている「１７５２０」が、操作装置１０のメモリ部１２の遮断弁使用時間１２４及び駆動制御装置使用時間１２５に設定されることで、操作装置１０のメモリ部１２が更新される。
【００５８】
その後、遮断弁ユニット２０が使用され続けて、操作装置１０が検出した遮断弁２０Ａ及び駆動制御装置２０Ｂの通算時間（使用時間）が判定閾値に達していると、操作装置１０は使用期限であると判定したことを表示部１７の遮断弁表示部１７ｂを点灯させることで、利用者、作業者等に通知する。これにより、遮断弁ユニット２０の交換が促される。また、操作装置１０は、操作装置１０自体の使用期限を判定する機能を有し、メモリ部１７の操作装置製造年月１２１と通算時間や日時データ等とを比較して交換時期を検出すると、表示部１７の操作器表示部１７ａを点灯させることで、操作装置１０の交換を促すことになる。
【００５９】
以上説明した遮断システム１によれば、操作装置１０が遮断弁ユニット２０に供給した電力の通電時間を検出し、この通電時間と取得した製造情報とを比較して使用期限を判定して通知するようにしたことから、遮断弁ユニット２０の交換時期を的確に予め備えた表示部（通知手段）」１７によって通知することができる。また、通電時間を検出しているので、遮断弁ユニット２０を実際に使用した時間に基づいて交換時期を判定することができるため、その使用状況に応じた交換時期を通知することもできる。従って、表示機能を新たに追加することなく、遮断弁ユニット２０の交換を促すことができる遮断システム１を提供することができる。
【００６０】
また、操作装置１０が遮断弁ユニット２０の遮断弁２０Ａと駆動制御装置２０Ｂとの少なくとも一方の使用期限を判定するようにしたことから、遮断弁２０Ａと駆動制御装置２０Ｂの個別に交換を促すことができるため、遮断弁ユニット２０の構成機器を有効利用でき且つメンテナンス性を向上させることができる。
【００６１】
なお、上述した本実施形態では、操作装置１０が遮断弁ユニット２０の駆動制御装置２０Ｂが計測した使用時間を通算時間として検出する場合について説明したが、本発明はこれに限定するものではなく、操作装置１０が電力供給部１９の供給状態に基づいて通算時間を検出する実施形態とすることもできる。
【００６２】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００６３】
【図１】本発明の遮断システムの基本構成を示す構成図である。
【図２】本発明の遮断システムの概略構成を説明するための図である。
【図３】遮断システムにおける操作装置及び遮断弁ユニットの構成を示す構成図である。
【図４】図３中の操作装置のメモリ部の一例を示すメモリマップである。
【図５】図３中の駆動制御装置のメモリ部の一例を示すメモリマップである。
【図６】図３中の操作装置のＣＰＵが実行する通算時間管理処理の一例を示すフローチャートである。
【図７】操作装置及び駆動制御装置の各メモリ部の内容と状態との関係を説明するための図である。
【符号の説明】
【００６４】
１    遮断システム
１０    操作装置
１１ａ１    製造情報取得手段（操作装置のＣＰＵ）
１１ａ２    通算時間検出手段（操作装置のＣＰＵ）
１１ａ３    使用期限判定手段（操作装置のＣＰＵ）
１１ａ４    通知制御手段（操作装置のＣＰＵ）
１２    製造情報記憶手段（操作装置のメモリ部）
１７    通知手段（操作装置の表示部）
１９    電力供給手段（操作装置の電力供給部）
２０    遮断弁ユニット
２０Ａ    遮断弁
２０Ｂ    駆動制御装置
【図１】
2010048265.tif 000003
【図２】
2010048265.tif 000004
【図３】
2010048265.tif 000005
【図４】
2010048265.tif 000006
【図５】
2010048265.tif 000007
【図６】
2010048265.tif 000008
【図７】
2010048265.tif 000009